(57)【要約】      （修正有）【課題】首振り運転時に枠体のふらつきがない首振り機構を備えた電気ストーブに提供する。【解決手段】枠体１内にヒータと反射板を取り付け、枠体１の下部に設けた回転軸５を介して枠体１を回動可能に支持するベース４を備え、枠体１下部とベース４との間に形成された収納空間６に首振り機構部７を設置する。首振り機構部７は、回転軸５を回動中心とする駆動板８と、枠体１の底板１ｂに設置した駆動モータ９と、駆動モータ９によって駆動する偏心カム１０と、駆動板８と偏心カム１０とを連結する連結アーム１１とで構成する。連結アーム１１は駆動板８と偏心カム１０の下方に伸びる駆動軸８ａ・駆動軸１０ａに嵌合し、連結アーム１１の下方の駆動軸８ａ・１０ａに固定部材８ｂ・１０ｂを装着する。連結アーム１１は駆動板８側の端部が高く偏心カム１０側の端部が低く傾斜した状態で、駆動板８や偏心カム１０、固定部材８ｂ・１０ｂに当接する。【選択図】図１
2019143859.tif 000002
【特許請求の範囲】
【請求項１】
前面に開口部を有する枠体内にヒータを配置し、
前記ヒータの前方を開口しながら前記ヒータの側部と背部に位置する反射板を前記枠体内に取り付け、
前記枠体の下部に設けた回転軸を介して前記枠体を回動可能に支持するベースを備え、
前記枠体下部と前記ベースとの間に形成された収納空間に前記枠体の首振り動作を行なうための首振り機構部を設置した電気ストーブにおいて、
前記首振り機構部は、
前記回転軸に取り付けて前記回転軸を回動中心とする駆動板と、前記枠体の底板に設置した駆動モータと、前記駆動モータによって駆動する偏心カムと、前記駆動板と前記偏心カムとを連結する連結アームとで構成し、
前記枠体が床面に対して平行の方向に回動するように前記回転軸は床面に対して垂直に配置され、
前記駆動板と前記偏心カムは前記枠体の前記底板の下面側に配置され、前記駆動板と前記偏心カムから下方に伸びる駆動軸がそれぞれ形成され、
前記連結アームは前記駆動板の前記駆動軸と前記偏心カムの前記駆動軸に嵌合し、前記連結アームより下方の前記駆動軸に固定部材を配置し、
前記連結アームは前記駆動板側の端部が高く偏心カム側の端部が低くなるよう床面に対して傾斜して、前記駆動板と前記偏心カム、もしくは前記固定部材に当接するように配置されていることを特徴とする電気ストーブ。
【請求項２】
前記駆動板の前記駆動軸には、前記連結アームと前記固定部材との間に配置されて、前記駆動板側の端部の位置を前記偏心カム側の端部の位置よりも高く保持する支持部材を設けたことを特徴とする請求項１記載の電気ストーブ。
【請求項３】
前記枠体下部と前記ベースの間には内部に前記収納空間を形成する筒状支持部を設け、
前記枠体の前記底板には前記筒状支持部の上端と対向する位置に規制手段を設けたことを特徴とする請求項１または２に記載の電気ストーブ。
【発明の詳細な説明】
【技術分野】
【０００１】
この発明は、首振り機構を備えた電気ストーブに関する。
【背景技術】
【０００２】
従来の電気ストーブは、枠体内にヒータと、ヒータの背部と側部に位置する湾曲した反射板とを備え、ヒータからの熱線を枠体前面の開口部から放射して暖房を行なうものである。また、枠体は下部に設けた回転軸を介してベースの上に回動可能に設置され、枠体とベースとの間には首振り機構を備えており、枠体が回転軸を中心に左右に首振り動作を行なうことによって、枠体前方の広範囲に熱線を放射できるようになっている。
【０００３】
首振り機構は、枠体の下部に設けた回転軸がベースの軸受部に嵌合し、回転軸には駆動板が取り付けられており、枠体下部の底板には駆動モータが設置され、駆動モータには偏心カムが取り付けられており、駆動板と偏心カムとが連結アームで連結されて構成されている。首振り動作時は、駆動モータによって偏心カムが回動し、偏心カムの回動動作が連結アームを介して回転軸に取り付けた駆動板に伝達され、駆動板が回転軸を中心に回動して所定の範囲で左右に首振り動作を行なう。
【先行技術文献】
【特許文献】
【０００４】
【特許文献１】特開昭６３−５７８９５号公報
【発明の概要】
【発明が解決しようとする課題】
【０００５】
上記のように首振り機構を備えたときは、枠体を回転軸によって支える構造となり、電気ストーブの枠体内にはヒータや反射板、電装部品などほとんどの部品が配置され、回転軸の上部に重量のある枠体が配置された構造となるため、枠体の上部がふらついて安定性の悪い構造となる。
【０００６】
特に、偏心カムが傾いて取り付けられていると、偏心カムが回動するときに偏心カムの駆動軸の動きにぶれが生じ、連結アームが往復運動するときに上下方向に動いて振動が起こり、この振動が駆動板と回転軸に伝わって枠体のふらつきを発生させることがあり、首振り動作のたびに枠体のふらつきが発生すると、商品価値を低下させてしまうことになるため、偏心カムの寸法管理を正確に行なう必要がある。
【０００７】
しかし、偏心カムを駆動モータの軸に取り付けるときと、駆動モータを枠体の底板に取り付けるときの誤差によって、偏心カムの傾きが生じやすい構造となっているため、寸法管理が難しく、偏心カムを正確に取り付けようとすると、生産性の低下や製造コストを上昇させる原因となる。
【課題を解決するための手段】
【０００８】
この発明は上記の課題を解決するもので、前面に開口部１ａを有する枠体１内にヒータ２を配置し、前記ヒータ２の前方を開口しながら前記ヒータ２の側部と背部に位置する反射板３を前記枠体１内に取り付け、前記枠体１の下部に設けた回転軸５を介して前記枠体１を回動可能に支持するベース４を備え、前記枠体１下部と前記ベース４との間に形成された収納空間６に前記枠体１の首振り動作を行なうための首振り機構部７を設置した電気ストーブにおいて、前記首振り機構部７は、前記回転軸５に取り付けて前記回転軸５を回動中心とする駆動板８と、前記枠体１の底板１ｂに設置した駆動モータ９と、前記駆動モータ９によって駆動する偏心カム１０と、前記駆動板８と前記偏心カム１０とを連結する連結アーム１１とで構成し、前記枠体１が床面に対して平行の方向に回動するように前記回転軸５は床面に対して垂直に配置され、前記駆動板８と前記偏心カム１０は前記枠体１の前記底板１ｂの下面側に配置され、前記駆動板８と前記偏心カム１０から下方に伸びる駆動軸８ａ・１０ａがそれぞれ形成され、前記連結アーム１１は前記駆動板８の前記駆動軸８ａと前記偏心カム１０の前記駆動軸１０ａに嵌合し、前記連結アーム１１より下方の前記駆動軸８ａ・１０ａに固定部材８ｂ・１０ｂを配置し、前記連結アーム１１は前記駆動板８側の端部が高く偏心カム１０側の端部が低くなるよう床面に対して傾斜して、前記駆動板８と前記偏心カム１０、もしくは前記固定部材８ｂ・１０ｂに当接するように配置されていることを特徴とする電気ストーブである。
【０００９】
また、前記駆動板８の前記駆動軸８ａには、前記連結アーム１１と前記固定部材８ｂとの間に配置されて、前記駆動板８側の端部の位置を前記偏心カム１０側の端部の位置よりも高く保持する支持部材１２を設けたことにより、簡単な構造で前記連結アーム１１を傾斜させることができ、傾斜角度の調整が容易にできるものである。
【００１０】
また、前記枠体１下部と前記ベース４の間には内部に前記収納空間６を形成する筒状支持部１３を設け、前記枠体１の前記底板１ｂには前記筒状支持部１３の上端と対向する位置に規制手段１４を設けたことにより、前記筒状支持部１３の上端と前記規制手段１４とが接触して前記枠体１の傾きを阻止して、前記回転軸５を補助するものである。
【発明の効果】
【００１１】
この発明では、回転軸５に取り付けられた駆動板８と駆動モータ９に取り付けられた偏心カム１０とを連結する連結アーム１１を、駆動板８側の端部が高く偏心カム１０側の端部が低くなるように傾斜させたものであり、連結アーム１１は首振り動作を行なうときも傾斜したまま、連結アーム１１の端部が駆動軸８ａ・１０ａに当接した状態で駆動するものである。首振り動作時、連結アーム１１には駆動軸８ａ・１０ａに押付けられる力が発生するので、偏心カム１０に多少の傾きがあるときでも連結アーム１１が上下に動いて振動を起こすことはなく、枠体１のふらつきを発生させることがなくなり、スムーズに首振り動作を行なうことができるものとなった。
【００１２】
この構成であれば、偏心カム１０に生じる傾きの許容範囲を広げることができ、偏心カム１０に傾きが生じやすい構造でも寸法管理が容易となるから、生産性の向上やコストの低減が実現できるものとなった。
【００１３】
また、駆動板８の駆動軸８ａの連結アーム１１の下側に支持部材１２を配置することで、連結アーム１１の駆動板８側の端部を傾斜させることができ、支持部材１２によって連結アーム１１の傾斜角度の調整が可能であるから、簡単な構造でコストの上昇を抑えて実現できるものとなった。
【００１４】
また、枠体１下部とベース４との間に筒状支持部１３を設け、枠体１の底板１ｂの筒状支持部１３の上端と対向する位置に規制手段１４を設け、枠体１が傾いたときに筒状支持部１３の上端と規制手段１４が接触することによって、枠体１の傾きを規制するものであり、連結アーム１１を傾斜した首振り機構部の構造と組み合わせることによって、首振り動作時の枠体１のふらつきをより確実に防止することができるものとなった。
【図面の簡単な説明】
【００１５】
【図１】この発明の実施例を示す電気ストーブの要部の縦断面図である。
【図２】この発明の実施例を示す電気ストーブの正面図である。
【図３】この発明の他の実施例を示す電気ストーブの要部の縦断面図である。
【図４】図３の実施例の首振り機構部を底面側から見た要部断面図である。
【発明を実施するための形態】
【００１６】
図に示す実施例によってこの発明を説明すると、１は電気ストーブの枠体、１ａは枠体１の前面に設けた開口部、２は枠体１内に取り付けた縦長のヒータ、３はヒータ２の前方を開口しながらヒータ２の背部と側部を湾曲上に囲むように配置した反射板である。
【００１７】
１ｂは枠体１の底板、５は枠体１の底板１ｂに取り付けられて枠体１の下方に伸びる回転軸、１ｃは枠体１の底板１ｂの下方に位置する円筒状の基部、１ｄは基部１ｃ内に形成した軸受部であり、回転軸５は軸受部１ｄに嵌合している。
【００１８】
４は枠体１を支持するベースであり、枠体１の基部１ｃをベース４の中央に形成された凹部内に装着し、ベース４の底面側から固定ネジを装着することによって、基部１ｃがベース４に固定され、枠体１がベース４の上に回動可能に支持される。回転軸５は床面に対して垂直に配置されており、枠体１は床面に対して平行の方向に回動する。
【００１９】
基部１ｃ内には転倒スイッチ１６を備えており、転倒スイッチ１６の作動部がベース４の底面を貫通して下方に突出している。作動部はバネの力で床面に押付けられており、電気ストーブが転倒したときは、バネの力で作動部が突出方向に移動してスイッチが切り替わり、通電が遮断されて停止する。
【００２０】
６は枠体１の底板１ｂの下方に位置する基部１ｃ内に形成される首振り機構部７の収納空間、９は枠体１の底板１ｂの上面に取り付けた駆動モータであり、駆動モータ９の軸は底板１ｂを貫通して下方に伸び、収納空間６内まで届いている。１０は駆動モータ９の軸に取り付けられた偏心カム、１０ａは偏心カム１０から下向きに伸びる駆動軸であり、駆動モータ９によって偏心カム１０が回動する。
【００２１】
８は回転軸５に取り付けた駆動板、８ａは駆動板８から下向きに伸びる駆動軸、１１は駆動板８の駆動軸８ａと偏心カム１０の駆動軸１０ａとを連結する連結アームである。連結アーム１１は両端部に嵌合孔が形成されており、嵌合孔を駆動軸８ａ・１０ａに挿通して、連結アーム１１の下側で駆動軸８ａ・１０ａの下端部に固定部材８ｂ・１０ｂを装着することで、連結アーム１１の両端部が固定部材８ｂ・１０ｂによって支持されて、連結アーム１１が駆動軸８ａ・１０ａに取り付けられる。
【００２２】
１５は運転スイッチと首振りスイッチを兼用する操作つまみであり、操作つまみ１５を操作して運転を開始するとヒータ２に通電され、ヒータ２から熱線が放射される。ヒータ２に通電中に操作つまみ１５を操作して首振り運転を選択すると駆動モータ９に通電され、駆動モータ９が駆動して偏心カム１０が回転すると、偏心カム１０の駆動軸１０ａに連結された連結アーム１１が往復運動し、偏心カム１０の回転が連結アーム１１を介して駆動板８に伝わり、駆動板８が回転軸５を中心に揺動し、枠体１が回転軸５を中心に回動して一定の範囲（約７０度）で左右に首振りするので、熱線が広範囲に放射される。
【００２３】
ところで、首振り機構を備えた電気ストーブは、首振り運転時に枠体１のふらつきが発生することがある。これには偏心カム１０の傾きが関係しているため、偏心カム１０が傾かないよう正確に取り付ける必要がある。しかし、偏心カム１０を駆動モータ９の軸に取り付けるときや、駆動モータ９を枠体１の底板１ｂに取り付けるときの誤差によって、偏心カム１０の傾きが生じやすい構造であるため、寸法管理が難しく、コストの上昇につながっていた。
【００２４】
この発明では偏心カム１０に多少の傾きがあっても枠体１のふらつきが発生しない電気ストーブを実現するもので、図１では、偏心カム１０の駆動軸１０ａの下端を駆動板８の駆動軸８ａの下端よりも低い位置まで伸ばしており、連結アーム１１は駆動板８側の端部が高く、偏心カム１０側の端部が低く傾斜した状態で駆動軸８ａ・１０ａに取り付けられている。
【００２５】
連結アーム１１は傾斜した状態で駆動板８と固定部材８ｂの間に挟着され、偏心カム１０と固定部材１０ｂとの間に挟着されており、連結アーム１１の駆動板８側の端部に下向きの力が働いたときは、連結アーム１１の下面が固定部材８ｂに当接して移動が止められ、一方、連結アーム１１の偏心カム１０側の端部に上向きの力が働いたときは、連結アーム１１の上面が偏心カム１０の下面に当接して移動が止められるので、連結アーム１１は傾斜した状態を保持することができる。
【００２６】
駆動モータ９が駆動して偏心カム１０が回動すると、連結アーム１１は傾斜したまま駆動板８や偏心カム１０や固定部材８ｂ・１０ｂに当接した状態で駆動するものであり、連結アーム１１には駆動板８や偏心カム１０、固定部材８ｂ・１０ｂへの押付け力が発生している。連結アーム１１を傾斜させることによって駆動板８や偏心カム１０との接触面を少なくできるから、連結アーム１１が駆動板８や偏心カム１０と接触することによって発生する抵抗は小さく、枠体１の回動を妨げることなくスムーズに回動することができる。
【００２７】
この構成によって、偏心カム１０がわずかに傾いた状態で取り付けられているときでも、連結アーム１１が上下に動くことはなくなり、振動を発生させることがなくなったので、首振り動作時に枠体１のふらつきを発生させることがなくなったものである。そして、偏心カム１０の傾きに対する許容範囲が広くなり、偏心カム１０の傾きが生じやすい構造でも寸法管理が容易になり、生産性の向上やコストの低減が期待できるものとなった。
【００２８】
また、図３はこの発明の他の実施例を示すものであり、１２は駆動板８の駆動軸８ａに取り付けたドーナツ状円板で構成する支持部材であり、支持部材１２を連結アーム１１と固定部材８ｂとの間に配置することで、連結アーム１１の駆動板８側の端部を偏心モータ１０側の端部より高くすることができるので、連結アーム１１は駆動板８側の端部が高く、偏心カム１０側の端部が低く傾斜した状態で駆動軸８ａ・１０ａに取り付けることができる。この構成では、支持部材１２の厚さを変更することによって連結アーム１１の傾斜角度を調整することができ、駆動軸８ａ・１０ａの長さを変更する必要がないので、大きな設計変更なく実現できるものである。
【００２９】
また、１３は円筒状の基部１ｃの上端に形成した樹脂製の筒状支持部、１４は枠体１の底板１ｂの下面に設けた樹脂製のリング状部材で構成した規制手段であり、筒状支持部１３の上端と規制手段１４とが所定の間隔を介して対向している。
【００３０】
枠体１が回転軸１０によって正しく支持されているときは、筒状支持部１３と規制手段１４とが接触しない位置にあり、首振り運転時に枠体１が回動するときの抵抗とならず、スムーズに回動することができる。
【００３１】
一方、枠体１が傾いたときには規制手段１４が筒状支持部１３の上端と接触し、枠体１の傾きを阻止するので、枠体１が大きく傾いて揺れることがないものである。首振り運転時は連結アーム１１によって枠体１のふらつきを防止しているが、この構成では外部からの振動や衝撃などによって枠体１が傾いたときも、筒状支持部１３と規制手段１４の働きによって枠体１が大きく傾いて揺れることがないから、首振り運転時には枠体１のふらつきを確実に防止することができるものとなった。
【００３２】
また、規制手段１４に半円状もしくは半球状の突部１４ａを複数個形成し、突部１４ａを筒状支持部１３の上端に接触させてもよい。この場合、首振り運転時は規制手段１４の突部１４ａだけが筒状支持部１３の上端と接触する構成であるから、摩擦による抵抗は少なくでき、枠体１がスムーズに回動できるものである。この構成では、枠体１が回転軸５と筒状支持部１３の両方で支持されているから、外部からの振動や衝撃などがあっても枠体１が傾くことはなくなり、首振り運転時の枠体１のふらつきを確実に防止することができるものとなった。
【符号の説明】
【００３３】
１    枠体
１ａ  開口部
１ｂ  底板
２    ヒータ
３    反射板
４    ベース
５    回転軸
６    収納空間
７    首振り機構部
８    駆動板
８ａ  駆動軸
８ｂ  固定部材
９    駆動モータ
１０    偏心カム
１０ａ  駆動軸
１０ｂ  固定部材
１１    連結アーム
１２    支持部材
１３    筒状支持部
１４    規制手段
【図１】
2019143859.tif 000003
【図２】
2019143859.tif 000004
【図３】
2019143859.tif 000005
【図４】
2019143859.tif 000006